(57)【特許請求の範囲】
【請求項１】
本体内に設けた除湿手段および送風手段と、前記除湿手段および前記送風手段の運転制御を行う制御部と、前記本体表面に設けた複数の運転モードから１つを選択して運転操作する操作部を有し、この操作部に設けた乾燥キープモードを選択したとき、前記制御部は前記除湿手段および前記送風手段を最大出力とするタイマー運転を実行し、続いて乾燥キープ運転として、乾燥キープ運転時に湿度センサの検出湿度が第２のしきい値以下のときは前記送風手段のみを運転し、乾燥キープ運転時に前記湿度センサの検出湿度が第２のしきい値より大なるとき、前記制御部は前記送風手段および前記除湿手段を運転してなる除湿機。
【発明の詳細な説明】
【０００１】
【発明の属する技術分野】
本発明は、室内の除湿を行うとともに、室内に吊り下げた衣類に低湿空気を供給して衣類乾燥を行う除湿機に関するものである。
【０００２】
【従来の技術】
従来、この種の除湿機は図１２および図１３で示す構成のものが知られている。
【０００３】
図に示すように、通常の室内除湿運転のときは操作部１０１の自動除湿スイッチ１０２により設定される自動除湿運転を選び、湿度設定スイッチ１０３で好みの湿度を設定する。制御部（図示せず）は湿度センサによる室内現在湿度と湿度設定スイッチ１０３で設定された設定湿度とを比較して適度の除湿運転を行う。
【０００４】
また、衣類乾燥スイッチ１０４で設定される衣類乾燥運転においては除湿能力を最大出力とした連続運転の設定が一般的であり、この運転設定とは別に切タイマースイッチ１０５の操作により所定時間後に運転停止できるものもある。
【０００５】
以下、衣類乾燥機の運転について図１２のフローチャートを参照しながら説明する。
【０００６】
まず、ＳＴＥＰ１でスイッチ入力があった場合はＳＴＥＰ２に移行し、このスイッチ入力が衣類乾燥スイッチでない場合は入力されたスイッチにより指定される運転モードを実行し、衣類乾燥スイッチである場合はＳＴＥＰ３に移行し衣類乾燥運転を行う。
【０００７】
次にＳＴＥＰ４で運転停止スイッチの入力がある場合はＳＴＥＰ５で運転を停止する。運転停止スイッチの入力が無い場合はＳＴＥＰ６に移行してタイマーの設定判断を行い、設定が無い場合はＳＴＥＰ３に移行し衣類乾燥運転を継続する。また、タイマーの設定がある場合はＳＴＥＰ７に移り、タイマーの経過時間を判断する。タイマー設定時間が経過している場合はＳＴＥＰ５に移行して運転を停止し、設定時間がまだ経過していない場合は、ＳＴＥＰ３において衣類乾燥運転を継続するものである。
【０００８】
【発明が解決しようとする課題】
このような従来の除湿機では、連続運転で衣類乾燥を行うものでは使用者が運転停止を忘れた場合や、タイマーがあるものでもタイマーの設定をしなかった場合は、衣類が乾燥した後にも無駄な除湿運転を継続してしまい、過除湿状態となったり、消費電力を浪費するという課題があり、衣類乾燥が終了したときは自動的に除湿機の運転も停止することが要求されている。
【０００９】
本発明は、このような従来の課題を解決するものであり、使用者が衣類乾燥運転を選択した場合、自動的に衣類乾燥に適した運転を開始し、必要な乾燥時間が経過すれば自動的に運転停止することを目的としている。
【００１０】
また、衣類乾燥運転実行時の室内が低湿状態であれば衣類も乾燥しやすくなるため、あらかじめ設定された標準的なタイマー時間では、衣類が乾燥した後は無駄な除湿運転になるという課題があり、室内湿度が低い場合は衣類の乾燥時間が短縮されることが要求されている。
【００１１】
本発明は、このような従来の課題を解決するものであり、室内湿度が低い場合は衣類が乾燥した後に無駄な除湿運転を行わないことを目的としている。
【００１２】
また、衣類が充分に乾燥し、タイマーによる乾燥運転終了後に停止した状態で衣類が放置されると、雰囲気の湿気を乾燥した衣類が再吸湿するという課題があり、この再吸湿を経済的に防ぐことが要求されている。
【００１３】
本発明は、このような従来の課題を解決するものであり、衣類乾燥の運転終了後は衣類の再吸湿を経済的に防ぐことを目的としている。
【００１４】
また、タイマーによる衣類乾燥を停止したときに、周辺の雰囲気が高湿状態であれば室内も次第に高湿状態となり、衣類の再吸湿を防ぐことが難しいという課題があり、雰囲気湿度が高い場合でも衣類の再吸湿を防ぐことが要求されている。
【００１５】
本発明は、このような従来の課題を解決するものであり、衣類乾燥後の周辺湿度を適湿に保ち衣類の再吸湿をより効果的に防ぐことを目的としている。
【００２２】
【課題を解決するための手段】
本発明の除湿機の本体内に設けた除湿手段および送風手段と、前記除湿手段および前記送風手段の運転制御を行う制御部と、前記本体表面に設けた複数の運転モードから１つを選択して運転操作する操作部を有し、この操作部に設けた乾燥キープモードを選択したとき、前記制御部は前記除湿手段および前記送風手段を最大出力とするタイマー運転を実行し、続いて乾燥キープ運転として、乾燥キープ運転時に湿度センサの検出湿度が第２のしきい値以下のときは前記送風手段のみを運転し、乾燥キープ運転時に前記湿度センサの検出湿度が第２のしきい値より大なるとき、前記制御部は前記送風手段および前記除湿手段を運転するものである。
【００２３】
本発明によれば、衣類乾燥後の周辺湿度を適湿に保ち衣類の再吸湿をより効果的に防ぐことができる除湿機が得られる。
【００２７】
【発明の実施の形態】
本発明は本体内に設けた除湿手段および送風手段と、前記除湿手段および前記送風手段の運転制御を行う制御部と、前記本体表面に設けた複数の運転モードから１つを選択して運転操作する操作部を有し、この操作部に設けた乾燥キープモードを選択したとき、前記制御部は前記除湿手段および前記送風手段を最大出力とするタイマー運転を実行し、続いて乾燥キープ運転として、乾燥キープ運転時に湿度センサの検出湿度が第２のしきい値以下のときは前記送風手段のみを運転し、乾燥キープ運転時に前記湿度センサの検出湿度が第２のしきい値より大なるとき、前記制御部は前記送風手段および前記除湿手段を運転するものであり、乾燥キープ運転中に室内湿度が高くなり、送風運転だけでは乾燥した衣類の再吸湿が防止できない場合は、送風運転に加えて除湿運転を行うことにより、衣類を乾燥状態で保つことができるという作用を有する。
【００２８】
【実施例】
以下、本発明の実施例について図面を参照しながら説明する。
【００２９】
（参考例１）
図１〜図４に示すように、本体１の天面には操作部２を設け、操作部２には衣類乾燥モードまたは乾燥キープ運転モードを選択するための衣類乾燥スイッチ４と、この衣類乾燥スイッチ４の選択した運転モードを表示する乾燥ＬＥＤ６および乾燥キープＬＥＤ７が配置され、さらにタイマーを選択するための切タイマースイッチ５と、この切タイマースイッチ５の操作によるタイマー時間の設定および残時間表示を行う数字表示のＬＥＤ８が設けられている。
【００３０】
また、図４のブロック図に示すように、本体１内部の制御部９にはマイクロコンピューター１０が設けられ、マイクロコンピューター１０内部にはタイマー設定時のタイマー時間制御を行うタイマー制御手段１１が設けられている。また、制御部９には除湿装置１３の駆動制御を行う除湿制御手段１４と、送風装置１５の駆動制御をする送風制御手段１６を設けている。
【００３１】
上記構成において主要な動作を説明すると、図４のフローチャートに示すように、ＳＴＥＰ１１、ＳＴＥＰ１２ではスイッチ入力および入力されたスイッチの種類の判断を行っており、衣類乾燥スイッチ４の入力である場合はＳＴＥＰ１３に移りタイマー制御手段１１により固定タイマー時間として３時間のタイマー時間が設定される。ＳＴＥＰ１４で乾燥ＬＥＤ６の点灯とともに除湿量と風量を最大出力として衣類乾燥運転を開始し、同時に３時間のタイマー運転がスタートする。ＳＴＥＰ１５でタイマー制御手段１１はタイマーの経過時間の判断を行い、３時間経過するとＳＴＥＰ１６に移行し運転を停止する。
【００３２】
以上のように乾燥させたい衣類を除湿機の吹出し口上方に吊り下げて衣類乾燥運転を選択すれば、除湿能力を最大として３時間のタイマーが自動設定され、標準的に衣類乾燥が終了する３時間後に運転停止となる。すなわち無駄な除湿運転がなくなり、省エネ運転することができる。
【００３３】
乾燥時間と乾燥度の特性に関しては図５の特性図に示す通り、乾燥度９７％以上を衣類乾燥の完了状態とすれば通常の使用状態で運転時間３時間以内で乾燥が完了することがわかる。なお、乾燥度とは乾燥運転を行う衣類の重量に対する衣類の通常乾燥状態における標準重量の割合であり、衣類乾燥をはじめる際の衣類の乾燥度は７０％としている。
【００３４】
（参考例２）
本参考例では参考例１と同一構成のものは同一番号を付して詳しい説明を省略する。図２〜図４、図７および図８に示すように、本体１の側面内部には室内湿度を検出する湿度センサ３を設け、湿度センサ３の検出した検出湿度をマイクロコンピューター１０内にあらかじめ設定された湿度値４０％（第１のしきい値）と比較判断する比較判定手段１２が設けられている。比較判定手段１２があらかじめ設定された湿度４０％より湿度センサ３の検出湿度が大きいと判断した場合は、タイマー制御手段１１は固定タイマー時間（３時間）より短い短縮タイマー時間（２時間）を設定して、衣類乾燥運転をするようになっている。
【００３５】
上記構成において主要な動作を図６のフローチャートを用いて説明する。まずステップ１１〜１４は実施例１と同一動作を行い、ＳＴＥＰ１４で３時間のタイマー運転を開始する。ＳＴＥＰ２０５で湿度センサ３により室内の現在湿度を検出し、ＳＴＥＰ２０６であらかじめマイクロコンピューター１０に設定された湿度４０％（第１のしきい値）とＳＴＥＰ２０５で検出した湿度を比較判定手段１２が比較を行い、４０％以下であると判断した場合はＳＴＥＰ２０７に移行し、経過時間が２時間経過した場合はＳＴＥＰ２０８で運転を停止し、２時間を経過していない場合は衣類乾燥運転と湿度検出を継続する。
【００３６】
また、ＳＴＥＰ２０６において湿度４０％以上と判断した場合はＳＴＥＰ２０９に移行し、衣類乾燥運転を継続しＳＴＥＰ２１０でタイマーの経過時間の判断を行う。このとき３時間経過した場合はＳＴＥＰ２１１で運転を停止し、３時間を経過していない場合はＳＴＥＰ２０９に移行し衣類乾燥運転を継続する。
【００３７】
雰囲気湿度と衣類乾燥の関係は図７に示すように、周囲温度１０℃の一定条件で雰囲気湿度９０％では衣類の乾燥度９７％となるまでに約３時間を要しているが、雰囲気湿度４０％では２時間以内で乾燥していることがわかる。
【００３８】
以上のように、衣類乾燥運転を行い自動設定されるタイマー時間の経過時間が２時間を経過するまで室内の湿度が４０％以下という乾燥状態を常に保持している場合は、衣類乾燥は効率良く行われるため２時間以内で充分に乾燥しているという判断を行い運転を停止することができるので、雰囲気湿度が低い場合は乾燥時間を短縮して無駄な乾燥運転を省くことができる。なお、本実施例では第１のしきい値として湿度４０％を設定したが、使用条件によっては４０％以外の湿度値に設定してもよい。
【００３９】
（実施例１）
本実施例では参考例１と同一構成のものは同一番号を付して詳しい説明は省略する。
【００４０】
図２〜図４、図８および図９に示すようにマイクロコンピューター１０は３時間のタイマー運転終了後に、送風装置１５を９時間のタイマー運転ができるようになっている。
【００４１】
上記構成において、図８のフローチャートを用いて主要な動作を説明する。ＳＴＥＰ１１〜１４までは実施例１と同一であり、ＳＴＥＰ１４で３時間タイマーの衣類乾燥運転を開始する。ＳＴＥＰ３０５にて切タイマースイッチ５入力によるタイマー時間の設定変更の有無を判断し、タイマーの設定変更が無い場合はＳＴＥＰ３１０に移り、タイマー制御手段１１によるタイマー経過時間の判断がされ、３時間経過した場合はＳＴＥＰ３１１に移行し衣類乾燥運転は停止となり、除湿制御手段１４が除湿装置１３を停止し、送風制御手段１６が送風装置１５による送風運転を行う。次にこの送風運転がスタートしてからの時間経過の判断をタイマー制御手段１１はＳＴＥＰ３１２において行い、９時間経過した場合ＳＴＥＰ３１３で送風制御手段１６により送風装置１５を停止し運転停止となる。また、ＳＴＥＰ３０９においてタイマー制御手段１１による切タイマー変更設定の経過時間判断で設定時間が経過している場合はＳＴＥＰ３１１に移行し、送風制御手段１６により、送風装置１５が駆動され送風運転を行う。
【００４２】
すなわち、切タイマースイッチ５を設定しない場合の乾燥運転はあらかじめ設定された３時間のタイマー運転となり乾燥運転を行うが、切タイマースイッチ５でタイマー時間を設定する場合はＳＴＥＰ３０６〜３０９に示すように乾燥運転時間を任意に変更することができる。乾燥運転がタイマー時間の経過により終了した後は、除湿運転から送風運転に自動的に切り換わり、衣類の再吸湿防止運転となる。この乾燥運転後の衣類の再吸湿と放置時間の関係は図９に示すように、乾燥運転後そのまま放置した場合は乾燥度が下がり再吸湿されているのに対し、送風運転を行う場合は乾燥度が保たれていることがわかる。
【００４３】
（実施例２）
本実施例では実施例１と同一構成のものは、同一番号を付して詳しい説明を省略する。図２〜図４、図７および図８に示すように、衣類乾燥の運転終了後に乾燥キープ運転に入ると、マイクロコンピューター１０は湿度センサ３の検出湿度と第２のしきい値として設定した湿度５５％との比較を行ない、検出湿度５５％より大なるときは除湿運転を行ない、検出湿度５５％以下のときは送風運転を行うようになっている。
【００４４】
上記構成において、図１０のフローチャートを用いて主要な動作を説明する。ＳＴＥＰ１１〜ＳＴＥＰ３０９までは実施例３と同一であり、ＳＴＥＰ４１０以降を説明する。ＳＴＥＰ４１０でのタイマー経過時間の判断で３時間経過した場合はＳＴＥＰ４１１に移行し衣類乾燥運転は停止となり、除湿制御手段１４は除湿装置１３を停止する。ＳＴＥＰ４１２で湿度センサ３による湿度検出値を比較判定手段１２があらかじめ設定した湿度５５％（第２のしきい値）と比較する。湿度５５％より高湿である場合はＳＴＥＰ４１４、低湿である場合はＳＴＥＰ４１３に移行して処理を行う。
【００４５】
まず、比較判定手段１２が低湿の判断を行いＳＴＥＰ４１３に移行した場合、除湿制御手段１２は除湿装置１３を停止し、送風制御手段１６は送風装置１５を制御し送風運転を行う。また比較判定手段１２が高湿の判断を行いＳＴＥＰ４１４に移行した場合、除湿制御手段１２は除湿装置１３を電力低消費型の効率の良い室内除湿モードに切り換え、除湿運転を行う。次にＳＴＥＰ４１５に移行し、自動除湿運転がスタートしてからの時間経過の判断をタイマー制御手段１１が行い、９時間経過した場合ＳＴＥＰ４１６で運転停止となる。またＳＴＥＰ４１５で９時間を経過していない場合はＳＴＥＰ４１１に戻り、湿度センサ３による現在湿度の検出、比較判定手段１２による湿度の比較判定を行い、除湿制御手段１４および送風制御手段１６による自動除湿運転が継続される。
【００４６】
以上のように、乾燥運転終了後の再吸湿防止運転は常湿状態では送風運転で充分に効果が得られるが、高湿状態のときは衣類が再吸湿しやすくなるため、これを防ぐ目的で湿度５５％を第２のしきい値として自動除湿運転を行う。高湿および常湿状態での乾燥運転後の乾燥度と放置時間の関係は図１１に示すように周辺の湿度が９０％程度の高湿状態であれば、送風運転による再吸湿の防止にはあまり効果が無く、湿度５５％程度では乾燥度から判断して送風運転における再吸湿防止は充分に効果のあることがわかる。
【００５０】
また、本体内に設けた除湿手段および送風手段と、前記除湿手段および前記送風手段の運転制御を行う制御部と、前記本体表面に設けた複数の運転モードから１つを選択して運転操作する操作部を有し、この操作部に設けた乾燥キープモードを選択したとき、前記制御部は前記除湿手段および前記送風手段を最大出力とするタイマー運転を実行し、続いて乾燥キープ運転として、乾燥キープ運転時に湿度センサの検出湿度が第２のしきい値以下のときは前記送風手段のみを運転し、乾燥キープ運転の送風運転時に、前記湿度センサの検出湿度が第２のしきい値より高い場合は、前記制御部は送風運転に加えて除湿運転を行うことで衣類乾燥後の再吸湿を効果的に防ぎ、乾燥した衣類の乾燥状態を確実に保つことができる効果のある除湿機が提供できる。
【図面の簡単な説明】
【図１】除湿機の参考例１のフローチャート
【図２】本発明の実施例１、２、参考例１、２の本体斜視図
【図３】同操作パネルの拡大図
【図４】同ブロック回路図
【図５】参考例１の乾燥時間に対する乾燥度の特性図
【図６】参考例２のフローチャート
【図７】参考例２の雰囲気湿度の違いによる乾燥度の特性図
【図８】本発明の実施例１のフローチャート
【図９】同乾燥キープ運転の乾燥度の特性図
【図１０】同実施例２のフローチャート
【図１１】同雰囲気湿度の違いによる乾燥した衣類の乾燥度の特性図
【図１２】従来の除湿機のフローチャート
【図１３】従来の除湿機の操作パネルの拡大図
【符号の説明】
１ 本体
２ 操作パネル（操作部）
３ 湿度センサ
４ 衣類乾燥スイッチ（衣類乾燥モード、乾燥キープ
モード）
６ 乾燥ＬＥＤ（衣類乾燥モード）
７ 乾燥キープＬＥＤ（乾燥キープモード）
９ 制御部
１１ 除湿装置（除湿手段）
１３ 送風装置（送風手段）
【図１】
0004393642.tif 000002
【図２】
0004393642.tif 000003
【図３】
0004393642.tif 000004
【図４】
0004393642.tif 000005
【図５】
0004393642.tif 000006
【図６】
0004393642.tif 000007
【図７】
0004393642.tif 000008
【図８】
0004393642.tif 000009
【図９】
0004393642.tif 000010
【図１０】
0004393642.tif 000011
【図１１】
0004393642.tif 000012
【図１２】
0004393642.tif 000013
【図１３】
0004393642.tif 000014